(57)【要約】【課題】被検者が、実際の疲労度と疲労感とを同時に知ることを可能にする。【解決手段】被検者の睡眠の際の生体に関する生体情報を取得する生体情報取得手段と、生体情報取得手段に取得された生体情報から被検者の疲労度を算出する算出手段と、被検者の疲労感に関する疲労感情報を取得する疲労感情報取得手段と、疲労度に関する疲労度情報と疲労感情報とを、共に表示出力させる表示出力手段と、を備える、健康管理システム。【選択図】図５
2020181313.tif 000002
【特許請求の範囲】
【請求項１】
被検者の睡眠の際の生体に関する生体情報を取得する生体情報取得手段と、
前記生体情報取得手段に取得された前記生体情報から前記被検者の疲労度を算出する算出手段と、
前記被検者の疲労感に関する疲労感情報を取得する疲労感情報取得手段と、
前記疲労度に関する疲労度情報と前記疲労感情報とを、共に表示出力させる表示出力手段と、
を備える、健康管理システム。
【請求項２】
未来における前記疲労度および前記疲労感の少なくとも一方を予測する予測手段をさらに備え、
前記表示出力手段は、前記疲労度情報と前記疲労感情報とを共に表示出力させるとともに、さらに前記予測手段による予測結果を表示出力させることを特徴とする請求項１記載の健康管理システム。
【請求項３】
前記表示出力手段は、前記疲労度情報と前記疲労感情報とを共に表示出力させるとともに、さらに前記疲労度および前記疲労感の少なくとも一方を改善するための改善案を表示出力させることを特徴とする請求項１記載の健康管理システム。
【請求項４】
前記改善案が前記被検者に実施された場合における前記疲労度および前記疲労感の少なくとも一方を予測する予測手段をさらに備え、
前記表示出力手段は、前記改善案とともに前記予測手段による予測結果を表示出力させることを特徴とする請求項３記載の健康管理システム。
【請求項５】
前記改善案には、前記疲労感よりも前記疲労度を大きく改善するための疲労度改善案と、当該疲労度よりも当該疲労感を大きく改善するための疲労感改善案とが含まれ、
前記表示出力手段は、前記疲労度と前記疲労感の程度とに応じた前記改善案を表示出力させることを特徴とする請求項３記載の健康管理システム。
【請求項６】
前記疲労感情報取得手段は、前記生体情報取得手段に取得された前記生体情報から前記被検者の前記疲労感を推定することで前記疲労感情報を取得することを特徴とする請求項１記載の健康管理システム。
【請求項７】
前記表示出力手段は、前記疲労度情報と前記疲労感情報とを共に表示出力させるとともに、前記被検者と当該被検者とは異なる者との前記疲労度および前記疲労感の少なくとも一方の比較結果に関する情報を表示出力させることを特徴とする請求項１記載の健康管理システム。
【請求項８】
前記表示出力手段は、前記疲労度情報と前記疲労感情報とを共に表示出力させるとともに、前記被検者の前記疲労度に対する前記疲労感の持ち方に関する情報を表示出力させることを特徴とする請求項１記載の健康管理システム。
【請求項９】
被検者の睡眠の際の生体に関する生体情報を取得する生体情報取得手段と、
前記生体情報取得手段に取得された前記生体情報から前記被検者の疲労度を算出する算出手段と、
前記被検者の疲労感に関する疲労感情報を取得する疲労感情報取得手段と、
前記疲労度に関する疲労度情報と前記疲労感情報とを、共に提供する提供手段と、
を備える、健康管理システム。
【請求項１０】
コンピュータに、
被検者の睡眠の際の生体に関する生体情報を取得する生体情報取得機能と、
前記生体情報取得機能に取得された前記生体情報から前記被検者の疲労度を算出する算出機能と、
前記被検者の疲労感に関する疲労感情報を取得する疲労感情報取得機能と、
前記疲労度に関する疲労度情報と前記疲労感情報とを、共に表示出力させる表示出力機能と、
を実現させるためのプログラム。
【発明の詳細な説明】
【技術分野】
【０００１】
本発明は、健康管理システムおよびプログラムに関する。
【背景技術】
【０００２】
例えば特許文献１には、睡眠状態に関する睡眠データと、日中の活動に関する活動データとに基づいて、一日の疲労度を判断する健康管理装置が開示されている。この健康管理装置では、疲労度を改善するためのアドバイスとして、運動量や睡眠時間等のアドバイスを提示することが開示されている。
例えば特許文献２には、睡眠時の心電、筋電、脈波、心拍、呼吸等の生体信号を分析することで、睡眠による疲労回復度を評価する生体評価装置が開示されている。
例えば特許文献３には、脈拍センサ、体動センサ、血圧、体温、呼吸数などの睡眠中の生体情報を検出し、時間的推移に基づいて睡眠状態を判断し、睡眠後の体調を予測する生体情報解析装置が開示されている。
【先行技術文献】
【特許文献】
【０００３】
【特許文献１】特開２００７−２２２２７６号公報
【特許文献２】特開平０８−２５６９９５号公報
【特許文献３】特開２００５−１９８８２９号公報
【発明の概要】
【発明が解決しようとする課題】
【０００４】
例えば、睡眠中の生体情報に基づいて被検者の疲労度を算出するシステムがある。ここで、算出された被検者の実際の疲労度と被検者が有する疲労感とには差が生じている場合があるが、被検者が疲労度と疲労感とを知ることができないと、疲労度と疲労感との差を知ることができない。
【０００５】
本発明の目的は、被検者が、実際の疲労度と疲労感とを同時に知ることを可能にすることにある。
【課題を解決するための手段】
【０００６】
請求項１に記載の発明は、被検者の睡眠の際の生体に関する生体情報を取得する生体情報取得手段と、前記生体情報取得手段に取得された前記生体情報から前記被検者の疲労度を算出する算出手段と、前記被検者の疲労感に関する疲労感情報を取得する疲労感情報取得手段と、前記疲労度に関する疲労度情報と前記疲労感情報とを、共に表示出力させる表示出力手段と、を備える、健康管理システムである。
請求項２に記載の発明は、未来における前記疲労度および前記疲労感の少なくとも一方を予測する予測手段をさらに備え、前記表示出力手段は、前記疲労度情報と前記疲労感情報とを共に表示出力させるとともに、さらに前記予測手段による予測結果を表示出力させることを特徴とする請求項１記載の健康管理システムである。
請求項３に記載の発明は、前記表示出力手段は、前記疲労度情報と前記疲労感情報とを共に表示出力させるとともに、さらに前記疲労度および前記疲労感の少なくとも一方を改善するための改善案を表示出力させることを特徴とする請求項１記載の健康管理システム。である。
請求項４に記載の発明は、前記改善案が前記被検者に実施された場合における前記疲労度および前記疲労感の少なくとも一方を予測する予測手段をさらに備え、前記表示出力手段は、前記改善案とともに前記予測手段による予測結果を表示出力させることを特徴とする請求項３記載の健康管理システムである。
請求項５に記載の発明は、前記改善案には、前記疲労感よりも前記疲労度を大きく改善するための疲労度改善案と、当該疲労度よりも当該疲労感を大きく改善するための疲労感改善案とが含まれ、前記表示出力手段は、前記疲労度と前記疲労感の程度とに応じた前記改善案を表示出力させることを特徴とする請求項３記載の健康管理システムである。
請求項６に記載の発明は、前記疲労感情報取得手段は、前記生体情報取得手段に取得された前記生体情報から前記被検者の前記疲労感を推定することで前記疲労感情報を取得することを特徴とする請求項１記載の健康管理システムである。
請求項７に記載の発明は、前記表示出力手段は、前記疲労度情報と前記疲労感情報とを共に表示出力させるとともに、前記被検者と当該被検者とは異なる者との前記疲労度および前記疲労感の少なくとも一方の比較結果に関する情報を表示出力させることを特徴とする請求項１記載の健康管理システムである。
請求項８に記載の発明は、前記表示出力手段は、前記疲労度情報と前記疲労感情報とを共に表示出力させるとともに、前記被検者の前記疲労度に対する前記疲労感の持ち方に関する情報を表示出力させることを特徴とする請求項１記載の健康管理システムである。
請求項９に記載の発明は、被検者の睡眠の際の生体に関する生体情報を取得する生体情報取得手段と、前記生体情報取得手段に取得された前記生体情報から前記被検者の疲労度を算出する算出手段と、前記被検者の疲労感に関する疲労感情報を取得する疲労感情報取得手段と、前記疲労度に関する疲労度情報と前記疲労感情報とを、共に提供する提供手段と、を備える、健康管理システムである。
請求項１０に記載の発明は、コンピュータに、被検者の睡眠の際の生体に関する生体情報を取得する生体情報取得機能と、前記生体情報取得機能に取得された前記生体情報から前記被検者の疲労度を算出する算出機能と、前記被検者の疲労感に関する疲労感情報を取得する疲労感情報取得機能と、前記疲労度に関する疲労度情報と前記疲労感情報とを、共に表示出力させる表示出力機能と、を実現させるためのプログラムである。
【発明の効果】
【０００７】
本発明によれば、被検者が、実際の疲労度と疲労感とを同時に知ることを可能にすることができる。
【図面の簡単な説明】
【０００８】
【図１】健康管理システムの全体構成例を示す図である。
【図２】サーバおよび端末のハードウェア構成例を示す図である。
【図３】サーバの機能構成例を示した図である。
【図４】被検者情報管理テーブルを示した図である。
【図５】疲労情報表示処理の流れを示したフローチャートである。
【図６】疲労情報通知画面を示した図である。
【図７】改善案画面を示した図である。
【図８】疲労感改善案画面を示した図である。
【発明を実施するための形態】
【０００９】
以下、添付図面を参照して、本発明の実施形態について詳細に説明する。
＜健康管理システムの構成＞
図１は、本実施形態に係る健康管理システム１の全体構成例を示した図である。
本実施形態に係る健康管理システム１は、ユーザの実際の疲労度と、ユーザが有する疲労感の程度とを管理することにより、ユーザの健康状態を管理するシステムである。ここで、疲労度とは、ユーザの主観的な感覚ではなく客観的に定められる疲労の程度である。また、疲労感とは、ユーザの疲労についてこのユーザ自身が有する主観的な感覚である。疲労感の程度を、以下では、疲労感度と称する。
健康管理システム１は、サーバ１０と、マットセンサ２０と、ユーザが所持する端末３０とを備える。サーバ１０と、マットセンサ２０および端末３０とは、ネットワークを介して接続されている。
【００１０】
サーバ１０は、ユーザの健康状態を管理する。より具体的には、ユーザの睡眠の際の生体に関する情報を取得する。また、サーバ１０は、ユーザが有する疲労感に関する情報を取得する。ユーザの睡眠の際の生体に関する情報を、以下では、生体情報と称する。また、ユーザが有する疲労感に関する情報を、以下では、感覚情報と称する。さらに、サーバ１０は、取得した生体情報からユーザの疲労度を算出し、また、取得した感覚情報から、ユーザが有する疲労感度を算出する。そして、サーバ１０は、算出した疲労度が示された情報と、算出した疲労感度が示された情報とを、ユーザの端末３０に表示させる。疲労度が示された情報を、以下では、疲労度情報と称する。また、疲労感度が示された情報を、以下では、疲労感情報と称する。さらに、疲労感が示された情報も、広義には、疲労感情報として捉えられる。
【００１１】
サーバ１０は、例えば、コンピュータにより実現される。サーバ１０は、単一のコンピュータにより構成しても良いし、複数のコンピュータによる分散処理により実現しても良い。また、サーバ１０は、クラウドコンピューティングにより提供される仮想的なハードウェア上にて実現してもよい。
【００１２】
マットセンサ２０は、ユーザに用いられる寝具のマット等に取り付けられる。そして、マットセンサ２０は、ユーザが寝具を使用中であるときのユーザの生体を検知することにより、このユーザの生体情報を取得する。生体情報を取得する対象となるユーザを、以下では、被検者と称する。すなわち、本実施形態では、健康管理システム１を利用するユーザが、被検者である。マットセンサ２０は、取得した生体情報を、マットセンサ２０を識別するセンサ識別情報とともに、サーバ１０へ送信する。
【００１３】
生体情報としては、例えば、心拍数に関する情報、呼吸に関する情報、体動に関する情報等が挙げられる。また、生体情報としては、被検者による寝具の使用に関する情報等が挙げられる。すなわち、「被検者の睡眠の際の生体に関する生体情報」には、被検者の睡眠中の生体に関する情報のみならず、被検者が睡眠していないものの被検者が寝具を使用中であるときの被検者の生体に関する情報も含まれる。もっとも、生体情報は、上記の情報には限定されない。
【００１４】
端末３０は、情報を表示する表示部３１を有する。表示部３１は、サーバ１０から疲労度情報および疲労感情報を取得すると、取得したこの疲労度情報と疲労感情報とを共に表示する。
端末３０は、例えば、コンピュータ、タブレット型情報端末、その他の情報処理装置により実現される。
【００１５】
サーバ１０とマットセンサ２０および端末３０との接続に用いられるネットワークは、データの送受信が可能であれば、その種類は特に限定されず、例えばインターネット、ＬＡＮ（Local Area Network）、ＷＡＮ（Wide Area Network）等として良い。データの送受信に用いられる通信回線は、有線であっても無線であっても良い。また、複数のネットワークや通信回線を介して各装置を接続する構成としても良い。
【００１６】
＜ハードウェア構成例＞
図２は、サーバ１０および端末３０のハードウェア構成例を示す図である。
図２に示すように、サーバ１０および端末３０は、演算手段であるＣＰＵ(Central Processing Unit)１００ａと、主記憶手段であるメモリ１００ｃとを備える。また、各装置は、外部デバイスとして、不揮発性記録デバイス１００ｇ、ネットワークインターフェイス１００ｆ、表示機構１００ｄ、音声機構１００ｈ、キーボードやマウス等の入力デバイス１００ｉ等を備える。
【００１７】
メモリ１００ｃおよび表示機構１００ｄは、システムコントローラ１００ｂを介してＣＰＵ１００ａに接続されている。また、ネットワークインターフェイス１００ｆ、不揮発性記録デバイス１００ｇ、音声機構１００ｈおよび入力デバイス１００ｉは、ブリッジコントローラ１００ｅを介してシステムコントローラ１００ｂと接続されている。各構成要素は、システムバスや入出力バスなどの各種のバスによって接続される。
【００１８】
不揮発性記録デバイス１００ｇには、各機能を実現するためのプログラムが格納されている。そして、このプログラムがメモリ１００ｃにロードされ、このプログラムに基づく処理がＣＰＵ１００ａにより実行されることで、各種の機能が実現される。不揮発性記録デバイス１００ｇとしては、例えば、ＳＳＤ（Solid State Drive）等の半導体メモリやＨＤＤ（Hard Disk Drive）等の磁気ディスク装置などが挙げられる。
【００１９】
＜サーバの機能構成＞
次に、サーバ１０の機能構成について説明する。
図３は、サーバ１０の機能構成例を示した図である。
サーバ１０は、健康管理システム１の利用登録を受け付ける登録受付部１１と、被検者の生体情報等を記憶する記憶部１２と、被検者の生体情報を取得する生体情報取得部１３と、被検者の感覚情報を取得する感覚情報取得部１４とを備える。また、サーバ１０は、被検者の疲労度や疲労感度を算出する算出部１５と、被検者の疲労度や疲労感を改善するための改善案を作成する改善案作成部１６と、情報を端末３０に出力させる出力制御部１７とを備える。
【００２０】
登録受付部１１は、健康管理システム１の利用者としての被検者の登録を受け付ける。登録受付部１１は、例えば、被検者の端末３０から登録の申請を受けると、被検者の身体に関する情報の受け付けを行う。被検者の身体に関する情報を、以下では、身体情報と称する。身体情報としては、例えば、年齢、性別、身長、体重、持病、服薬状況等の情報が挙げられる。また、登録受付部１１は、被検者が使用するマットセンサ２０を識別するセンサ識別情報の受け付けを行う。さらに、登録受付部１１は、端末３０へのログインＩＤの付与や、端末３０からの暗証番号の登録の受け付けを行う。そして、ログインＩＤおよび暗証番号が入力された端末３０を操作する被検者を、健康管理システム１の利用者として登録する。
【００２１】
登録受付部１１は、利用者として登録した被検者を識別する被検者識別情報を、センサ識別情報および身体情報に関連付けて、記憶部１２に送信する。被検者が端末３０を介して健康管理システム１の利用者として新たに登録されることで、サーバ１０は、この端末３０から送信された情報を、新たに登録された被検者に関連する情報として保持するようになる。
【００２２】
記憶部１２は、登録受付部１１から送信された身体情報や、後述する生体情報取得部１３に取得される生体情報等を、被検者識別情報およびセンサ識別情報に関連付けて記憶する。記憶部１２の記憶内容については、後に詳述する。
生体情報取得手段の一例としての生体情報取得部１３は、マットセンサ２０から生体情報を取得する。生体情報取得部１３は、例えば、１秒ごとに生体情報を取得する。また、生体情報取得部１３は、マットセンサ２０から、生体情報とともにセンサ識別情報を取得する。生体情報取得部１３は、記憶部１２に記憶されているセンサ識別情報のうちのマットセンサ２０から取得したものと同一のセンサ識別情報に関連付けて、生体情報を記憶させる。
【００２３】
感覚情報取得部１４は、感覚情報を入力可能な画面を、出力制御部１７を介して端末３０の表示部３１に表示させる。そして、感覚情報取得部１４は、端末３０に入力された感覚情報を、端末３０から取得する。感覚情報取得部１４は、取得した感覚情報を、この感覚情報に係る被検者の被検者識別情報に関連付けて、記憶部１２に記憶させる。
【００２４】
端末３０に入力可能な感覚情報としては、例えば、複数段階に設定された感覚情報のうちの各段階の感覚情報が挙げられる。複数段階の感覚情報としては、例えば、「全く疲れていない」、「あまり疲れていない」、「少し疲れている」、「それなりに疲れている」、「非常に疲れている」等が挙げられる。なお、例えば、被検者が端末３０に対して疲労感に関するアンケートの回答を入力することで、入力された回答に応じて複数段階の何れかの段階に設定された感覚情報が感覚情報取得部１４に取得されてもよい。
【００２５】
算出手段の一例としての算出部１５は、記憶部１２に記憶されている生体情報から、被検者の現在の疲労度を算出する。算出部１５は、例えば、心拍数、呼吸障害の有無、体動の有無等に基づいて、１秒当たりの被検者の睡眠の状態を判定する。睡眠の状態としては、例えば、レム睡眠の状態、ノンレム睡眠の状態、睡眠していない状態等が挙げられる。さらに、算出部１５は、例えば、判定結果に基づいて、被検者の睡眠の時間帯、睡眠時間、レム睡眠とノンレム睡眠との周期等を算出する。そして、算出結果から、被検者の疲労度を算出する。例えば、算出部１５は、被検者の睡眠の時間帯に２２時から２６時までの時間帯が含まれている場合、この時間帯が含まれていない場合よりも被検者の疲労度を小さく算出してもよい。また、例えば、算出部１５は、被検者の睡眠時間が８時間以上である場合、８時間未満である場合よりも被検者の疲労度を小さく算出してもよい。また、例えば、算出部１５は、レム睡眠とノンレム睡眠との間の時間の間隔が８５分から９５分の範囲である場合、この範囲外である場合よりも被検者の疲労度を小さく算出してもよい。さらに、上記の各手法により算出した各値を組み合わせることで被検者の疲労度を算出してもよい。もっとも、算出部１５による疲労度の算出の手法は、上記の態様に限定されない。
【００２６】
算出部１５は、算出した疲労度に基づいて疲労度情報を作成し、作成した疲労度情報を記憶部１２に記憶させる。算出部１５が疲労度を算出するたびに、疲労度情報の作成と、記憶部１２による疲労度情報の記憶が行われることで、疲労度情報が記憶部１２に蓄積される。
【００２７】
また、算出部１５は、被検者の疲労感度を算出する。
記憶部１２に感覚情報が記憶されている場合、算出部１５は、この感覚情報から、被検者の現在の疲労感度を算出する。算出部１５は、例えば、複数段階における各段階の感覚情報において、「全く疲れていない」、「あまり疲れていない」、「少し疲れている」、「それなりに疲れている」、「非常に疲れている」の前の順番の段階ほど、疲労感度が小さくなるように疲労感度を算出する。ここで、疲労感度が大きいほど、被検者がより強く疲労感を有することを意味する。
【００２８】
また、記憶部１２に感覚情報が記憶されていない場合、算出部１５は、記憶部１２に記憶されている生体情報から、推定値としての現在の疲労感度を算出する。例えば、算出部１５は、被検者が寝具を使用中であることが検出されてから被検者が睡眠を開始するまでの時間が短いほど、被検者の疲労感度が小さくなるように算出してもよい。また、例えば、算出部１５は、生体情報から算出した被検者の睡眠時間が長いほど、被検者の疲労感度が小さくなるように算出してもよい。また、被検者による体動の数が少ないほど、被検者の疲労感度が小さくなるように算出してもよい。また、上記の各手法により算出した各値を組み合わせることで被検者の疲労感度を算出してもよい。もっとも、算出部１５による疲労感度の算出の手法は、上記の態様に限定されない。
【００２９】
算出部１５は、算出した疲労感度に基づいて疲労感情報を作成し、作成した疲労感情報を記憶部１２に記憶させる。そのため、算出部１５は、疲労感情報を取得する疲労感情報取得手段としても捉えられる。算出部１５が疲労感度を算出するたびに、疲労感情報の作成と、記憶部１２による疲労感情報の記憶が行われることで、疲労感情報が記憶部１２に蓄積される。
【００３０】
また、算出部１５は、記憶部１２に記憶されている生体情報等から、被検者の現在の疲労度と疲労感度とに差異が生じている原因を予測する。そして、予測結果を、出力制御部１７に送信する。
【００３１】
また、算出部１５は、被検者の未来の疲労度を予測する。算出部１５は、例えば、記憶部１２に蓄積されている生体情報や疲労度情報から被検者の日々の疲労度の傾向を予測し、この予測結果から、被検者の未来の疲労度を予測する。
また、算出部１５は、被検者の未来の疲労感度を予測する。算出部１５は、例えば、記憶部１２に蓄積されている生体情報、感覚情報、および疲労感情報から被検者の日々の疲労感度の傾向を予測し、この予測結果から、被検者の未来の疲労感度を予測する。なお、算出部１５による被検者の未来の疲労度や疲労感度の予測の手法は、上記の態様には限定されない。
算出部１５は、予測した疲労度に基づいて疲労度情報を作成する。また、算出部１５は、予測した疲労感度に基づいて疲労感情報を作成する。
【００３２】
また、算出部１５は、後述する改善案作成部１６に作成された改善案が被検者に実施された場合における被検者の疲労度を予測する。例えば、改善案が被検者の睡眠の取り方に関する案である場合、算出部１５は、この改善案が被検者に実施された場合に得られる生体情報を予測し、予測した生体情報に基づいて、被検者の疲労度を予測する。また、例えば、改善案が、疲労度を改善させる商品やサービス等の提案事項を被検者が取り入れる案である場合、算出部１５は、この提案事項に予め対応付けられた疲労度の改善度に基づいて、被検者の疲労度を予測する。サーバ１０は、例えば、提案事項ごとに、予め疲労度の改善度を対応付けてもよい。
【００３３】
また、算出部１５は、改善案作成部１６に作成された改善案が被検者に実施された場合における被検者の疲労感度を予測する。例えば、改善案が被検者の睡眠の取り方に関する案である場合、算出部１５は、この改善案が被検者に実施された場合に得られる生体情報を予測し、予測した生体情報に基づいて、被検者の疲労感度を予測する。また、例えば、改善案が、疲労感度を改善させる商品やサービス等の提案事項を被検者が取り入れる案である場合、算出部１５は、この提案事項に予め対応付けられた疲労感の改善度に基づいて、被検者の疲労感度を予測する。サーバ１０は、例えば、提案事項ごとに、予め疲労感の改善度を対応付けてもよい。ここで、算出部１５は、未来における疲労度および疲労感の予測や、改善案が被検者に実施された場合における疲労度および疲労感を予測する予測手段としても捉えられる。
【００３４】
算出部１５は、改善案が被検者に実施された場合として予測した疲労度に基づいて、疲労度情報を作成する。また、算出部１５は、改善案が被検者に実施された場合として予測した疲労感度に基づいて、疲労感情報を作成する。
また、算出部１５は、作成した疲労度情報および疲労感情報を、出力制御部１７へ送信する。
【００３５】
改善案作成部１６は、記憶部１２に記憶されている疲労度情報や生体情報に基づいて、被検者の疲労度を改善するための改善案を作成する。より具体的には、改善案作成部１６は、算出部１５による疲労度の算出に用いられた生体情報から特定される被検者の生体を改善するための案や、被検者が取り入れることで、疲労度情報から特定される疲労度を減少させる商品やサービス等の提案情報を作成する。例えば、被検者が２６時から睡眠を開始している場合、改善案作成部１６は、睡眠の開始時刻を早めることを改善案として作成する。
【００３６】
また、改善案作成部１６は、記憶部１２に記憶されている疲労感情報や生体情報に基づいて、被検者の疲労感を改善するための改善案を作成する。より具体的には、改善案作成部１６は、算出部１５による疲労感度の算出に用いられた生体情報から特定される被検者の生体を改善するための案や、被検者が取り入れることで、疲労感情報から特定される疲労感度を減少させる商品やサービス等の提案情報を作成する。例えば、被検者が寝具を使用中であることが検出されてから被検者が睡眠を開始するまでに一時間以上かかっている場合、改善案作成部１６は、被検者の寝つきを改善するための商品の提案情報を作成する。
【００３７】
また、改善案作成部１６は、一の被検者とは異なる他の被検者に採用された改善案を、一の被検者を対象とした疲労度や疲労感の改善案として作成してもよい。例えば、改善案作成部１６は、一の被検者の年齢と同じ年代に属する他の被検者であって、予め定められた人数以上の他の被検者に取り入れられた商品やサービス等の提案情報を、一の被検者を対象とする改善案として作成してもよい。さらに、作成した改善案に、例えば、「３０代女性に多く選ばれています」等の、一の被検者の年齢と同じ年代に属する他の被検者に改善案が採用されたことを示すメッセージが含まれてもよい。また、例えば、改善案作成部１６は、他の被検者に改善案が採用された結果として他の被検者の疲労度や疲労感が改善された場合に、この改善案を、一の被検者を対象とする改善案として作成してもよい。さらに、作成した改善案に、例えば、「特に４０代の男性が効果を実感しています」など、特定の年代の被検者において疲労度や疲労感が改善されることが多かったことを示すメッセージが含まれてもよい。改善案作成部１６は、例えば、他の被検者の疲労度や疲労感度について算出部１５に算出された結果に基づいて、一の被検者を対象とする上記の改善案を作成する。
また、改善案作成部１６は、作成した改善案に関する情報を、出力制御部１７へ送信する。
【００３８】
表示出力手段の一例としての出力制御部１７は、端末３０に情報を出力させる。より具体的には、出力制御部１７は、端末３０に対して情報を送信することにより、送信した情報を端末３０の表示部３１に表示させたり、送信した情報を音声により端末３０に出力させたりする。
【００３９】
＜記憶部の記憶内容＞
次に、記憶部１２に記憶されている情報の内容について説明する。
図４は、被検者情報管理テーブルを示した図である。被検者情報管理テーブルは、被検者に関する情報を管理するためのテーブルである。この被検者情報管理テーブルは、被検者ごとに設けられている。図４には、被検者「Ａ」の被検者情報管理テーブルが示されている。
【００４０】
被検者情報管理テーブルでは、「マットセンサ」に、被検者が使用するマットセンサ２０を識別するセンサ識別情報が示されている。また、「身体情報」に、登録受付部１１に受け付けられた身体情報が示されている。また、「生体情報」には、生体情報取得部１３に取得された生体情報が示されている。
また、被検者情報管理テーブルでは、「感覚情報」に、感覚情報取得部１４に取得された感覚情報が示されている。
【００４１】
また、被検者情報管理テーブルでは、「疲労度情報」に、算出部１５に作成された疲労度情報が示されている。また、「疲労感情報」に、算出部１５に作成された疲労感情報が示されている。
なお、「生体情報」には、例えば１秒ごとの情報が示されている。また、「感覚情報」、「疲労度情報」、「疲労感情報」には、例えば一日ごとの情報が示されている。
【００４２】
＜疲労情報表示処理＞
次に、疲労情報表示処理の流れについて説明する。疲労情報表示処理は、サーバ１０が、被検者の疲労度および疲労感度を算出し、算出した疲労度に係る疲労度情報および算出した疲労感度に係る疲労感情報を端末３０の表示部３１に表示させる処理である。疲労情報表示処理は、例えば、被検者が端末３０を介して疲労度の算出依頼を行うことや、被検者が目覚めたことがマットセンサ２０に検知された場合等により、開始される。
図５は、疲労情報表示処理の流れを示したフローチャートである。
【００４３】
まず、生体情報取得部１３は、マットセンサ２０から、生体情報を取得する（Ｓ１０１）。生体情報取得部１３に取得された生体情報は、記憶部１２に記憶される。
算出部１５は、記憶部１２に記憶されている生体情報から、被検者の疲労度を算出する（Ｓ１０２）。算出部１５は、算出した疲労度に係る疲労度情報を、出力制御部１７へ送信する。
【００４４】
算出部１５は、感覚情報が感覚情報取得部１４に取得されたか否かを判定する（Ｓ１０３）。算出部１５は、疲労感度を算出する対象の日にちに係る感覚情報が記憶部１２に記憶されているか否かにより、上記の判定を行う。
【００４５】
感覚情報が記憶部１２に記憶されている場合（Ｓ１０３にてＹＥＳ）、算出部１５は、記憶されている感覚情報から、被検者の疲労感度を算出する（Ｓ１０４）。算出部１５は、算出した疲労感度に係る疲労感情報を、出力制御部１７へ送信する。
感覚情報が記憶部１２に記憶されていない場合（Ｓ１０３にてＮＯ）、算出部１５は、記憶部１２に記憶されている生体情報から、被検者の疲労感度を算出する（Ｓ１０５）。算出部１５は、算出した疲労感度に係る疲労感情報を、出力制御部１７へ送信する。
出力制御部１７は、算出部１５から送信された疲労度情報と疲労感情報とを、共に端末３０の表示部３１に表示させる（Ｓ１０６）。
【００４６】
＜情報の表示例＞
次に、被検者に関する情報の表示例について説明する。被検者に関する情報は、出力制御部１７により、端末３０の表示部３１に表示される。
図６は、疲労情報通知画面４０を示した図である。疲労情報通知画面４０は、被検者の疲労に関する情報を通知するための画面である。疲労情報通知画面４０には、被検者表示部４１と、現在疲労通知部４２と、差異原因通知部４５と、未来疲労通知部４６と、改善案表示ボタン４９とが表示されている。
【００４７】
被検者表示部４１には、疲労情報通知画面４０に表示されている情報が示す対象者としての被検者の名前が表示されている。図示の例では、被検者表示部４１には、対象者としての被検者である「Ａさん」の文字が表示されている。
【００４８】
現在疲労通知部４２には、被検者の現在の疲労度および疲労感度を通知するための情報が表示されている。現在疲労通知部４２には、表示されている情報が現在の被検者に関する情報であることを示す「現在の疲労について」の文字が表示されている。また、現在疲労通知部４２には、現在疲労度情報４３と、現在疲労感情報４４とが表示されている。
【００４９】
現在疲労度情報４３には、算出部１５に作成された現在の被検者の疲労度情報が表示されている。この現在疲労度情報４３は、被検者の現在の疲労度が、１０段階のうちの該当する段階として表示されている。図示の例では、被検者の現在の疲労度が、１０段階のうちの「５」として表示されている。ここで、該当する段階が高くなるほど、被検者の疲労度が大きいことを意味する。
【００５０】
現在疲労感情報４４には、算出部１５に作成された現在の被検者の疲労感情報が表示されている。この現在疲労感情報４４は、被検者の現在の疲労感度が、１０段階のうちの該当する段階として表示されている。図示の例では、被検者の現在の疲労感度が、１０段階のうちの「３」として表示されている。ここで、該当する段階が高くなるほど、被検者の疲労感度が大きいことを意味する。
【００５１】
このように、本実施形態では、疲労度および疲労感度は、共に１０段階という同じ数の段階から、何れかの段階に設定されている。
図示の例では、現在疲労度情報４３には、現在疲労感情報４４よりも大きい値が表示されている。これは、被検者が感覚として有している疲労の程度よりも、被検者が実際に有している疲労の程度の方が大きいことを意味する。
【００５２】
差異原因通知部４５には、被検者の現在の疲労度と疲労感度とに差異が生じている原因が示されている。より具体的には、差異原因通知部４５には、被検者の現在の疲労度と疲労感度とに差異が生じている原因として、被検者の睡眠の取り方に関する情報が表示されている。図示の例では、差異原因通知部４５には、「睡眠時間は確保できていますが、睡眠の時間帯が遅いため、Ａさんが思っているほど疲れが取れていません。」というメッセージが表示されている。
【００５３】
未来疲労通知部４６には、被検者の未来の疲労度および疲労感度を通知するための情報が表示されている。未来疲労通知部４６においては、被検者の端末３０への操作に応じて、現在より一日後から現在より七日後までの一日ごとの情報を表示可能になっている。図示の例では、「三日後」が選択されていることにより、現在より三日後を対象とした情報が表示されている。また、未来疲労通知部４６には、未来疲労度情報４７と、未来疲労感情報４８とが表示されている。
【００５４】
未来疲労度情報４７には、算出部１５に作成された被検者の未来の疲労度情報が表示されている。この未来疲労度情報４７は、被検者の未来の疲労度が、１０段階のうちの該当する段階として表示されている。図示の例では、被検者の未来の疲労度が、１０段階のうちの「７」として表示されている。
【００５５】
未来疲労感情報４８には、算出部１５に作成された被検者の未来の疲労感情報が表示されている。この未来疲労感情報４８は、被検者の未来の疲労感度が、１０段階のうちの該当する段階として表示されている。図示の例では、被検者の未来の疲労感度が、１０段階のうちの「３」として表示されている。
【００５６】
図示の例では、未来疲労度情報４７には、現在疲労度情報４３に示されている値よりも大きい値が表示されている。これは、算出部１５により、被検者の現在の疲労度よりも未来の疲労度の方が大きくなると予測されていることを意味する。一方で、未来疲労感情報４８には、現在疲労感情報４４に示されている値と同じ値が表示されている。これは、算出部１５により、被検者の現在の疲労感度と未来の疲労感度とが変わらないと予測されていることを意味する。すなわち、被検者の未来においては、現在よりも、被検者の疲労度と疲労感度との差が大きくなることが算出部１５に予測されている。
【００５７】
被検者が改善案表示ボタン４９を選択すると、端末３０の表示部３１には、図７に示すように、改善案画面５０が表示される。改善案画面５０は、被検者の疲労度や疲労感を改善するための改善案を示した画面である。改善案画面５０には、被検者表示部５１と、現在疲労通知部５２と、現在疲労度情報５３と、現在疲労感情報５４とが表示されている。また、改善案画面５０には、疲労度改善案情報５５と、詳細情報５６と、改善疲労通知部５７と、戻るボタン６０と、疲労感改善案表示ボタン６１とが表示されている。
なお、被検者表示部５１、現在疲労通知部５２、現在疲労度情報５３、および現在疲労感情報５４に表示されている内容は、疲労情報通知画面４０（図６参照）における被検者表示部４１、現在疲労通知部４２、現在疲労度情報４３、および現在疲労感情報４４に表示されている内容と同一である。
【００５８】
疲労度改善案情報５５には、被検者の疲労度を改善するための改善案が表示されている。より具体的には、疲労度改善案情報５５には、被検者の睡眠の取り方に関する改善案が表示されている。図示の例では、疲労度改善案情報５５として、「睡眠の時間帯を早めましょう。」というメッセージが表示されている。
【００５９】
詳細情報５６には、疲労度改善案情報５５に表示されている疲労度の改善案としての詳細な情報が表示されている。より具体的には、詳細情報５６には、現在の被検者の睡眠の時間帯と、改善案として被検者に提案する睡眠の時間帯とが表示されている。図示の例では、「深夜２時〜翌朝８時」という現在の被検者における睡眠の時間帯と、「深夜０時〜翌朝６時」という改善案として提案する睡眠の時間帯とが表示されている。
【００６０】
改善疲労通知部５７には、詳細情報５６に表示されている改善案が被検者に実施された場合として、算出部１５に予測された被検者の未来の疲労度および疲労感度を通知するための情報が表示されている。改善疲労通知部５７においては、被検者の端末３０への操作に応じて、現在より一日後から現在より七日後までの一日ごとの情報を表示可能になっている。図示の例では、「三日後」が選択されていることにより、現在より三日後を対象とした情報が表示されている。また、改善疲労通知部５７には、改善疲労度情報５８と、改善疲労感情報５９とが表示されている。
【００６１】
改善疲労度情報５８には、詳細情報５６に表示されている改善案が被検者に実施された場合における被検者の未来の疲労度情報が表示されている。この改善疲労度情報５８は、被検者の未来の疲労度が、１０段階のうちの該当する段階として表示されている。図示の例では、被検者の未来の疲労度が、１０段階のうちの「４」として表示されている。
【００６２】
改善疲労感情報５９には、詳細情報５６に表示されている改善案が被検者に実施された場合における被検者の未来の疲労感情報が表示されている。この改善疲労感情報５９は、被検者の未来の疲労感度が、１０段階のうちの該当する段階として表示されている。図示の例では、被検者の未来の疲労感度が、１０段階のうちの「２」として表示されている。
【００６３】
図示の例では、改善疲労度情報５８には、未来疲労度情報４７（図６参照）に示されている値よりも小さい値が表示されている。これは、詳細情報５６に表示されている改善案が被検者に実施される場合、実施されない場合よりも、現在から三日後における被検者の疲労度が小さくなることを意味する。また、改善疲労度情報５８には、現在疲労度情報５３に示されている値よりも小さい値が表示されている。これは、詳細情報５６に表示されている改善案が被検者に実施されることにより、被検者の未来の疲労度が、現在よりも小さくなることを意味する。
【００６４】
また、改善疲労感情報５９には、未来疲労感情報４８（図６参照）に示されている値よりも小さい値が表示されている。これは、詳細情報５６に表示されている改善案が被検者に実施される場合、実施されない場合よりも、現在から三日後における被検者の疲労感度が小さくなることを意味する。また、改善疲労感情報５９には、現在疲労感情報５４に示されている値よりも小さい値が表示されている。これは、詳細情報５６に表示されている改善案が被検者に実施されることにより、被検者の未来の疲労感度が、現在よりも小さくなることを意味する。すなわち、疲労度改善案情報５５および詳細情報５６に表示されている改善案は、被検者の疲労度および疲労感をともに改善するための改善案である。
【００６５】
一方、未来疲労度情報４７に示されている値から改善疲労度情報５８に示されている値への減少の程度は、未来疲労感情報４８に示されている値から改善疲労感情報５９に示されている値への減少の程度よりも大きい。そのため、疲労度改善案情報５５および詳細情報５６に表示されている改善案は、疲労感よりも疲労度を大きく改善するための疲労度改善案として捉えられる。また、改善案画面５０は、疲労感よりも疲労度を大きく改善するための改善案を示した疲労度改善案画面として捉えられる。なお、詳細情報５６に表示されている改善案が被検者に実施された場合に、被検者の疲労感が改善されなくてもよい。すなわち、「疲労感よりも疲労度を大きく改善する」ことには、疲労度を改善する一方で疲労感を改善しないことも含まれる。
【００６６】
被検者が戻るボタン６０を選択すると、端末３０の表示部３１には、疲労情報通知画面４０（図６参照）が再び表示される。
被検者が疲労感改善案表示ボタン６１を選択すると、表示部３１には、図８に示すように、疲労感改善案画面７０が表示される。この疲労感改善案画面７０は、被検者の疲労感度を改善するための改善案を示した画面である。疲労感改善案画面７０には、被検者表示部７１と、現在疲労通知部７２と、現在疲労度情報７３と、現在疲労感情報７４とが表示されている。また、疲労感改善案画面７０には、疲労感改善案情報７５と、詳細情報７６と、改善疲労通知部７８と、疲労度改善案表示ボタン８１と、戻るボタン８２とが表示されている。
なお、被検者表示部７１、現在疲労通知部７２、現在疲労度情報７３、および現在疲労感情報７４に表示されている内容は、疲労情報通知画面４０（図６参照）における被検者表示部４１、現在疲労通知部４２、現在疲労度情報４３、および現在疲労感情報４４に表示されている内容と同一である。
【００６７】
疲労感改善案情報７５には、被検者の疲労感を改善するための改善案が表示されている。より具体的には、疲労感改善案情報７５には、改善案として、食事に関する情報が表示されている。図示の例では、疲労感改善案情報７５として、「疲労感を回復させる食事がお勧めです。」というメッセージが表示されている。
【００６８】
詳細情報７６には、疲労感改善案情報７５に表示されている疲労感の改善案としての詳細な情報が表示されている。図示の例では、詳細情報７６には、改善案の詳細な情報として、食事の内容を示す「豚肉の生姜焼き」の文字と、食事の内容が絵により示された画像とが表示されている。
【００６９】
改善疲労通知部７８には、詳細情報７６に表示されている改善案が被検者に実施された場合として、算出部１５に予測された被検者の未来の疲労度および疲労感度を通知するための情報が表示されている。改善疲労通知部７８においては、被検者の端末３０への操作に応じて、現在より一日後から現在より七日後までの一日ごとの情報を表示可能になっている。図示の例では、「三日後」が選択されていることにより、現在より三日後を対象とした情報が表示されている。また、改善疲労通知部７８には、改善疲労度情報７９と、改善疲労感情報８０とが表示されている。
【００７０】
改善疲労度情報７９には、詳細情報７６に表示されている改善案が被検者に実施された場合における被検者の未来の疲労度情報が表示されている。この改善疲労度情報７９は、被検者の未来の疲労度が、１０段階のうちの該当する段階として表示されている。図示の例では、被検者の未来の疲労度が、１０段階のうちの「７」として表示されている。
【００７１】
改善疲労感情報８０には、詳細情報７６に表示されている改善案が被検者に実施された場合における被検者の未来の疲労感情報が表示されている。この改善疲労感情報８０は、被検者の未来の疲労感度が、１０段階のうちの該当する段階として表示されている。図示の例では、被検者の未来の疲労感度が、１０段階のうちの「２」として表示されている。
【００７２】
図示の例では、改善疲労度情報７９には、現在疲労度情報７３に示されている値よりも大きい値であって、未来疲労度情報４７（図６参照）に示されている値と同じ値が表示されている。これは、詳細情報７６に表示されている改善案が被検者に実施されても、被検者の疲労度が改善されないことを意味する。
【００７３】
また、改善疲労感情報８０には、未来疲労感情報４８（図６参照）に示されている値よりも小さい値が表示されている。これは、詳細情報７６に表示されている改善案が被検者に実施される場合、実施されない場合よりも、現在から三日後における被検者の疲労感度が小さくなることを意味する。また、改善疲労感情報８０には、現在疲労感情報７４に示されている値よりも小さい値が表示されている。これは、詳細情報７６に表示されている改善案が被検者に実施されることにより、被検者の未来の疲労感度が、現在よりも小さくなることを意味する。つまり、疲労感改善案情報７５および詳細情報７６に表示されている改善案は、被検者の疲労度を改善することなく疲労感を改善するための改善案である。なお、疲労感改善案情報７５および詳細情報７６には、被検者に実施された場合に、被検者の疲労度が疲労感よりも小さい程度に改善される改善案が表示されてもよい。すなわち、「疲労度よりも疲労感を大きく改善する」ことには、疲労度および疲労感を改善することも含まれる。ここで、疲労感改善案情報７５および詳細情報７６に表示されている改善案は、疲労度よりも疲労感を大きく改善するための疲労感改善案として捉えられる。
【００７４】
被検者が、例えば疲労度改善案表示ボタン８１を選択すると、端末３０の表示部３１には、疲労度改善画面としての改善案画面５０（図７参照）が再び表示される。
被検者が、例えば戻るボタン８２を選択すると、表示部３１には、疲労情報通知画面４０（図６参照）が再び表示される。
【００７５】
なお、本実施形態では、疲労情報通知画面４０（図６参照）にて改善案表示ボタン４９が選択されると、疲労度改善案画面としての改善案画面５０（図７参照）が端末３０の表示部３１に表示されている。本実施形態では、改善案表示ボタン４９が選択された場合において、疲労情報通知画面４０における現在疲労度情報４３に示されている値が現在疲労感情報４４に示されている値よりも大きい場合、疲労度改善案画面としての改善案画面５０が表示部３１に表示される。また、改善案表示ボタン４９が選択された場合において、疲労情報通知画面４０における現在疲労感情報４４に示されている値が現在疲労度情報４３に示されている値よりも大きい場合、疲労感改善案画面７０が表示部３１に表示される。すなわち、本実施形態では、改善案表示ボタン４９が選択されると、被検者の現在の疲労度および疲労感度のうちの大きい方を優先的に改善させるための改善案が示された画面が表示部３１に表示される。
【００７６】
以上のように、本実施形態では、出力制御部１７は、疲労度情報と疲労感情報とを、共に表示出力させる。
この場合、被検者が、実際の疲労度と疲労感とを同時に知ることが可能になる。
【００７７】
また、本実施形態では、算出部１５は、未来における疲労度および疲労感を予測する。そして、出力制御部１７は、疲労度情報と疲労感情報とを共に表示出力させるとともに、算出部１５による予測結果を表示出力させる。
この場合、被検者が、未来における疲労度および疲労感の現在からの変化を知ることが可能になる。
【００７８】
また、本実施形態では、出力制御部１７は、疲労度情報と疲労感情報とを共に表示出力させるとともに、さらに疲労度および疲労感を改善するための改善案を表示出力させる。
この場合、表示される疲労度情報と疲労感情報に応じて、被検者が改善案を実施するか否かを判断できるようになる。
【００７９】
また、本実施形態では、算出部１５は、改善案が被検者に実施された場合における疲労度および疲労感を予測する。そして、出力制御部１７は、改善案とともに算出部１５による予測結果を表示出力させる。
この場合、被検者が、改善案を実施した場合の効果を踏まえて、改善案を実施するか否かを判断できるようになる。
【００８０】
また、本実施形態では、改善案には、疲労感よりも疲労度を大きく改善するための疲労度改善案と、疲労度よりも疲労感を大きく改善するための疲労感改善案とが含まれる。そして、出力制御部１７は、疲労度と疲労感の程度とに応じた改善案を表示出力させる。
この場合、疲労度と疲労感の程度とに応じて、何れの改善案を優先的に提案するかを切り替えることができる。
【００８１】
また、本実施形態では、算出部１５は、生体情報取得部１３に取得された生体情報から被検者の疲労感を推定することで、疲労感情報を取得する。
この場合、感覚情報が取得されていない場合であっても、疲労度情報と疲労感情報とを共に表示させることができる。
【００８２】
以上、本発明の実施形態について説明したが、本発明の技術的範囲は上記の実施形態に記載の範囲には限定されない。上記の実施形態に、種々の変更又は改良を加えたものも、本発明の技術的範囲に含まれることは、特許請求の範囲の記載から明らかである。
【００８３】
本実施形態では、改善案作成部１６に作成された改善案が実施されない場合の被検者の未来の疲労度情報および疲労感情報が、改善案や改善案が被検者に実施された場合の被検者の未来の疲労度情報および疲労感情報が示された画面とは別の画面に表示されるが、これに限定されない。
例えば、改善案作成部１６に作成された改善案が実施されない場合の被検者の未来の疲労度情報および疲労感情報が、改善案や改善案が被検者に実施された場合の被検者の未来の疲労度情報および疲労感情報が示された画面と同じ画面に表示されてもよい。
【００８４】
また、本実施形態では、疲労度改善案画面としての改善案画面５０が、疲労感改善案画面７０とは別の画面に表示されるが、これに限定されない。
例えば、疲労度改善案画面としての改善案画面５０が、疲労感改善案画面７０と同じ画面に表示されてもよい。
【００８５】
また、本実施形態では、改善案画面５０や疲労感改善案画面７０には、一の改善案が表示されているが、これに限定されない。
例えば、改善案画面５０や疲労感改善案画面７０には、二以上の改善案が表示されてもよい。この場合に、各々の改善案について、改善案が被検者に実施された場合における被検者の未来の疲労度情報および疲労感情報が表示されるようにしてもよい。また、二以上の改善案のうち実施される改善案に応じた被検者の未来の疲労度情報および疲労感情報が表示されるようにしてもよい。
さらに、一の画面に疲労度改善案と疲労感改善案とが表示されてもよい。そして、疲労度改善案および疲労感改善案の両方が被検者に実施された場合における被検者の疲労度情報および疲労感情報が表示されてもよい。
【００８６】
また、本実施形態では、改善案画面５０や疲労感改善案画面７０に、被検者の現在の疲労度情報と疲労感情報とが表示されているが、これに限定されない。
例えば、改善案画面５０や疲労感改善案画面７０には、被検者の現在の疲労度情報と疲労感情報とが表示されていなくてもよい。また、疲労情報通知画面４０に、被検者の疲労度や疲労感を改善するための改善案が表示される一方で、改善案が被検者に実施された場合における被検者の疲労度情報および疲労感情報が表示されないようにしてもよい。
【００８７】
また、本実施形態では、疲労度情報や疲労感情報として数値が表示される例を説明したが、これに限定されない。
例えば、疲労度情報や疲労感情報として、文字や、グラフ等の図が表示されてもよい。すなわち、疲労度情報および疲労感情報は、何れの態様により表示されてもよい。
また、疲労度情報や疲労感情報として、過去の疲労度情報や疲労感情報からの増減など、過去の疲労度情報や疲労感情報からの変化に関する情報が表示されてもよい。この変化に関する情報は、疲労度情報や疲労感情報としての数値、文字、グラフ等の図とともに表示されてもよい。
【００８８】
また、本実施形態では、被検者の未来の疲労度情報や疲労感情報として、現在より一日後から現在より一週間後までの情報が表示される例を説明したが、これに限定されない。
例えば、被検者の未来の疲労度情報や疲労感情報として、現在より一時間後の情報が表示されてもよい。また、現在より一か月後の情報や、現在より一年後の情報が表示されてもよい。
【００８９】
また、本実施形態では、感覚情報を用いて算出部１５に作成された疲労感情報が表示されているが、これに限定されない。
例えば、感覚情報が、疲労感情報として表示されてもよい。そのため、感覚情報取得部１４も、広義には、疲労感情報を取得する疲労感情報取得手段として捉えられる。また、疲労度情報についても、「全く疲れていない」、「あまり疲れていない」、「少し疲れている」、「それなりに疲れている」、「非常に疲れている」のうちの何れかの情報が表示されてもよい。すなわち、疲労度情報が、感覚情報と同じ表示態様により表示されてもよい。
【００９０】
また、本実施形態では、改善案作成部１６は、被検者の疲労度を改善するための改善案、および被検者の疲労感を改善するための改善案の両方を作成しているが、これに限定されない。
例えば、改善案作成部１６は、疲労度を改善するための改善案および疲労感を改善するための改善案の少なくとも一方を作成し、出力制御部１７は、改善案作成部１６に作成された一方を表示出力させてもよい。また、算出部１５は、改善案作成部１６に作成された一方が被検者に実施された場合における被検者の疲労度情報および疲労感情報の少なくとも一方を作成し、出力制御部１７は、算出部１５に作成された一方を表示出力させてもよい。
【００９１】
また、改善案画面５０や疲労感改善案画面７０に商品やサービスに関する改善案が表示される場合、この改善案画面５０や疲労感改善案画面７０を介して改善案としての商品やサービスを被検者が購入できるようにしてもよい。この場合、例えば、改善案画面５０や疲労感改善案画面７０に商品やサービスを購入するための購入ボタンを表示し、この購入ボタンが選択されると、端末３０の表示部３１には、商品やサービスを購入するためのＷｅｂページが表示されてもよい。そして、このＷｅｂページにて、被検者が商品を購入することができるようにしてもよい。さらに、改善案画面５０や疲労感改善案画面７０を介して改善案としての商品やサービスを被検者が購入する場合、商品やサービスが定価よりも安い価格により被検者が購入できるようにしてもよい。
【００９２】
また、サーバ１０は、被検者が用いるスケジューラーや日記等、被検者の日々の行動に関する行動情報が示されている情報媒体からこの行動情報を取得し、取得した行動情報に基づいて、被検者の未来の疲労度や疲労感を予測してもよい。例えば、サーバ１０は、行動情報に示された特定の行動が行われた日の翌日における被検者の疲労度や疲労感が特に大きくなった結果が得られた場合、この特定の行動と、被検者の疲労度や疲労感の蓄積度とを対応付ける。そして、サーバ１０は、未来においてこの特定の行動が予定されていることが行動情報に示されている場合、特定の行動が予定されている日以降の被検者の疲労度や疲労感が特に大きくなるように予測してもよい。また、サーバ１０は、取得した行動情報に示されている被検者の行動と、被検者の疲労度や疲労感の蓄積度との関係を機械学習してもよい。そして、学習の結果に基づいて、被検者の行動ごとに、被検者の疲労度や疲労感の傾向を予測するようにしてもよい。
【００９３】
また、サーバ１０は、一の被検者の疲労度や疲労感度と、他の被検者の疲労度や疲労感度とを比較し、この比較結果を、一の被検者の疲労度情報および疲労感情報とともに、端末３０の表示部３１に表示させてもよい。例えば、サーバ１０は、健康管理システム１の利用者全員を対象とした場合や、健康管理システム１の利用者のうちの一の被検者が属する企業の部署における利用者を対象とした場合において、一の被検者の疲労度や疲労感度の順位を表示させてもよい。また、例えば、サーバ１０は、一の被検者が属する企業の部署における同僚など、一の被検者とは異なる他の被検者と比べて、一の被検者の疲労度や疲労感度が大きいか否かを示す情報を表示させてもよい。すなわち、出力制御部１７は、疲労度情報と疲労感情報とを共に表示出力させるとともに、被検者と被検者とは異なる者との疲労度および疲労感の少なくとも一方の比較結果に関する情報を表示出力させるようにしてもよい。
この場合、被検者は、自身の疲労度や疲労感度と、他者の疲労度や疲労感度との関係を認識できるようになる。
【００９４】
また、サーバ１０は、算出部１５に算出された被検者の疲労度と疲労感との関係に基づいて、被検者の疲労度に対する疲労感の持ち方に関する情報を作成し、作成した情報を、被検者の疲労度情報および疲労感情報とともに、端末３０の表示部３１に表示させてもよい。例えば、被検者の疲労度が疲労感度よりも大きく算出部１５に算出された場合、サーバ１０は、「あなたは、自分の疲れに気付きにくいタイプです」等、被検者が疲労度に対して疲労感度を小さく持っていることを示す情報を表示させてもよい。また、例えば、被検者の疲労感度が疲労度よりも大きく算出部１５に算出された場合、サーバ１０は、「疲れを感じやすいタイプです。」等、被検者が疲労度に対して疲労感度を大きく持っていることを示す情報を表示させてもよい。すなわち、出力制御部１７は、疲労度情報と疲労感情報とを共に表示出力させるとともに、被検者の疲労度に対する疲労感の持ち方に関する情報を表示出力させるようにしてもよい。
この場合、被検者は、疲労感の持ち方に対する自身の考えを、疲労度との関係から認識できるようになる。
【００９５】
また、本実施形態では、算出部１５は、被検者の未来の疲労度および疲労感の両方を予測しているが、これに限定されない。
算出部１５は、未来における疲労度および疲労感の少なくとも一方を予測すればよい。この場合に、出力制御部１７は、算出部１５に予測された一方に関する情報を、被検者の現在の疲労度情報および疲労感情報とともに表示出力させてもよい。
【００９６】
また、本実施形態では、算出部１５は、生体情報や感覚情報を用いて疲労度や疲労感度を算出しているが、これに限定されない。
例えば、算出部１５は、身体情報を用いて疲労度や疲労感度を算出してもよい。また、例えば、サーバ１０が、被検者の寝室の環境に関する環境情報を取得し、算出部１５は、取得された環境情報を用いて、疲労度や疲労感度を算出してもよい。すなわち、算出部１５による疲労度や疲労感度の算出には、何れの情報が用いられてもよい。
また、例えば、算出部１５は、生体情報に基づいて、被検者の交感神経や副交感神経の作用等、被検者の自律神経の働きの度合いを算出し、算出した結果に基づいて被検者の疲労度や疲労感度を算出してもよい。そのため、自律神経に関する情報も、広義には、生体情報として捉えられる。
【００９７】
また、本実施形態では、算出部１５は、一日における生体情報や感覚情報等の情報に基づいて、被検者の現在の疲労度や疲労感度を算出しているが、これに限定されない。
例えば、算出部１５は、二日以上の期間における情報に基づいて被検者の現在の疲労度や疲労感度を算出してもよい。
【００９８】
また、算出部１５は、感覚情報から疲労感情報を作成するとともに、生体情報から疲労感情報を作成してもよい。そして、疲労情報通知画面４０や、改善案画面５０や、疲労感改善案画面７０に、算出部１５に作成された二つの疲労感情報が表示されてもよい。
【００９９】
また、算出部１５は、改善案作成部１６に作成された改善案が被検者に実施された場合における疲労度や疲労感度を算出するにあたり、現在から算出の対象となる日まで毎日改善案が実施された場合における疲労度や疲労感度を算出してもよい。また、現在から算出の対象となる日までの期間における一日だけ改善案が実施された場合における疲労度や疲労感度を算出してもよい。また、現在から算出の対象となる日までの期間において改善案が実施された日数に応じた疲労度や疲労感度を算出してもよい。
【０１００】
また、サーバ１０は、算出部１５に算出された被検者の疲労度や疲労感度に応じて、被検者にポイントを付与してもよい。例えば、サーバ１０は、算出部１５に予め定められた値以下の疲労度や疲労感度が算出された期間が続くと、続いた期間に応じたポイントを被検者に付与してもよい。そして、被検者に用いられるポイントに応じて、改善案画面５０や疲労感改善案画面７０を介して購入される商品やサービスの価格が安くなってもよい。
【０１０１】
また、本実施形態では、被検者が端末３０に身体情報や感覚情報等の情報を文字として入力しているが、これに限定されない。
例えば、被検者が音声により端末３０に情報を入力してもよいし、情報が示された画像データを端末３０に入力してもよい。すなわち、端末３０への情報の入力態様は、何れの態様であってもよい。
また、例えば、被検者がスマートスピーカ等の音声入力手段に音声を入力し、音声が入力された音声入力手段からサーバ１０へ、入力された音声に係る音声情報が送信されてもよい。すなわち、サーバ１０は、端末３０とは異なる情報入力手段から情報を取得してもよい。
【０１０２】
また、本実施形態では、生体情報取得部１３は、マットセンサ２０から生体情報を取得しているが、これに限定されない。生体情報取得部１３は、マットセンサ２０とは異なる生体情報の取得手段から生体情報を取得してもよい。すなわち、生体情報取得部１３へ生体情報を送信する機能手段は、マットセンサ２０に限定されない。
【０１０３】
また、本実施形態では、出力制御部１７は、端末３０に情報を出力させることを説明したが、これに限定されない。
例えば、出力制御部１７は、端末３０に情報を提供すればよく、端末３０に情報を出力させなくてもよい。この場合に、出力制御部１７は、疲労度情報と疲労感情報とを共に提供する提供手段として捉えられる。
【０１０４】
また、本実施形態では、サーバ１０が、被検者の疲労度および疲労感度を算出し、算出した疲労度に係る疲労度情報と疲労感度に係る疲労感情報とを共に端末３０の表示部３１に表示させる構成としたが、これに限定されない。
例えば、端末３０がサーバ１０の機能を有してもよい。言い換えると、端末３０が、サーバ１０の登録受付部１１、記憶部１２、生体情報取得部１３、感覚情報取得部１４、算出部１５、改善案作成部１６、出力制御部１７等の機能を備えることとしてもよい。
【０１０５】
また、本発明の実施形態を実現するプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて提供することも可能である。
【符号の説明】
【０１０６】
１…健康管理システム、１０…サーバ、１１…登録受付部、１２…記憶部、１３…生体情報取得部、１４…感覚情報取得部、１５…算出部、１６…改善案作成部、１７…出力制御部、２０…マットセンサ、３０…端末、３１…表示部
【図１】
2020181313.tif 000003
【図２】
2020181313.tif 000004
【図３】
2020181313.tif 000005
【図４】
2020181313.tif 000006
【図５】
2020181313.tif 000007
【図６】
2020181313.tif 000008
【図７】
2020181313.tif 000009
【図８】
2020181313.tif 000010